(57)【要約】【課題】セミリジッドケーブルにおける接続ナットなどの被締め付け部材の締め付けを行う際に、広いスペースを必要とせずに締め付け作業を行うことができるようにする。【解決手段】被締め付け部材に配置された第１のギアと、上記第１のギアと係合する第２のギアを配置された締め付け工具とを有し、上記第１のギアと上記第２のギアとよりなるギア機構を用いて上記被締め付け部材と上記締め付け工具とを連結し、上記ギア機構を介して上記締め付け工具により上記被締め付け部材を締め付けるようにした。【選択図】        図２
2007276082.tif 000002
【特許請求の範囲】
【請求項１】
被締め付け部材に配置された第１のギアと、
前記第１のギアと係合する第２のギアを配置された締め付け工具と
を有し、
前記第１のギアと前記第２のギアとよりなるギア機構を用いて前記被締め付け部材と前記締め付け工具とを連結し、前記ギア機構を介して前記締め付け工具により前記被締め付け部材を締め付ける
ことを特徴とする締め付けシステム。
【請求項２】
請求項１に記載の締め付けシステムにおいて、
前記第１のギアは、ウォームギアであり、
前記第２のギアは、ウォームである
ことを特徴とする締め付けシステム。
【請求項３】
請求項１に記載の締め付けシステムにおいて、
前記第１のギアは、クラウンギアであり、
前記第２のギアは、ピニオンギアである
ことを特徴とする締め付けシステム。
【請求項４】
被締め付け部材に第１のギアを設けるとともに、前記被締め付け部材を締め付ける締め付け工具に前記第１のギアと係合する第２のギアを設け、前記第１のギアと前記第２のギアとよりなるギア機構を用いて前記被締め付け部材と前記締め付け工具とを連結するようにして、前記ギア機構を介して前記締め付け工具により前記被締め付け部材を締め付ける
ことを特徴とする締め付け方法。
【発明の詳細な説明】
【技術分野】
【０００１】
本発明は、締め付けシステムおよび締め付け方法に関し、さらに詳細には、セミリジッドケーブルの接続ナットを締め付ける際などに用いて好適な締め付けシステムおよび締め付け方法に関する。
【背景技術】
【０００２】
従来、セミリジッドケーブルの接続ナットを締め付ける際には、締め付け工具としてレンチを用いて締め付け作業を行っていた。
【０００３】
図１には、こうしたレンチを用いた従来の締め付け作業の作業状況が示されており、セミリジッドケーブル１００の接続ナット１０２が六角ナットである場合には、締め付け工具として六角レンチ１０４を用いることになる。
【０００４】
そして、接続ナット１０の締め付けの際には、接続ナット１０２を中心として六角レンチ１０４を矢印Ａ方向に回動することにより、接続ナット１０２の締め付けを行うことになる。
【０００５】
従って、上記した六角レンチ１０４を用いた従来の締め付け作業においては、接続ナット１０２の周囲に、六角レンチ１０４を矢印Ａ方向に回動可能な広いスペースが必要となるという問題点があった。
【０００６】
即ち、従来の締め付け作業では、締め付け作業の際に締め付け工具を動かすための広いスペースが必要となるという問題点があった。
【０００７】
なお、本願出願人が特許出願時に知っている先行技術は、上記において説明したようなものであって文献公知発明に係る発明ではないため、記載すべき先行技術情報はない。
【発明の開示】
【発明が解決しようとする課題】
【０００８】
本発明は、上記したような従来の技術の有する問題点に鑑みてなされたものであり、その目的とするところは、セミリジッドケーブルにおける接続ナットなどの被締め付け部材の締め付けを行う際に、広いスペースを必要としない締め付けシステムおよび締め付け方法を提供しようとするものである。
【課題を解決するための手段】
【０００９】
上記目的を達成するために、本発明は、被締め付け部材に第１のギアを設けるとともに、被締め付け部材を締め付ける締め付け工具に第１のギアと係合する第２のギアを設け、第１のギアと第２のギアとよりなるギア機構を用いて被締め付け部材と締め付け工具とを連結するようにして、当該ギア機構を介して締め付け工具により締め付け作業を行うようにしたものである。
【００１０】
従って、本発明によれば、締め付け工具は第２のギアを回転さえすればよいので、従来の締め付け作業と比較すると締め付け工具を動かすため必要なスペースを縮小することができる。
【００１１】
こうした本発明のうち請求項１に記載の発明による締め付けシステムは、被締め付け部材に配置された第１のギアと、上記第１のギアと係合する第２のギアを配置された締め付け工具とを有し、上記第１のギアと上記第２のギアとよりなるギア機構を用いて上記被締め付け部材と上記締め付け工具とを連結し、上記ギア機構を介して上記締め付け工具により上記被締め付け部材を締め付けるようにしたものである。
【００１２】
また、本発明のうち請求項２に記載の発明による締め付けシステムは、本発明のうち請求項１に記載の発明による締め付けシステムにおいて、上記第１のギアをウォームギアとし、上記第２のギアをウォームとしたものである。
【００１３】
また、本発明のうち請求項３に記載の発明による締め付けシステムは、本発明のうち請求項１に記載の発明による締め付けシステムにおいて、上記第１のギアをクラウンギアとし、上記第２のギアをピニオンギアとしたものである。
【００１４】
また、本発明のうち請求項４に記載の発明による締め付け方法は、被締め付け部材に第１のギアを設けるとともに、上記被締め付け部材を締め付ける締め付け工具に上記第１のギアと係合する第２のギアを設け、上記第１のギアと上記第２のギアとよりなるギア機構を用いて上記被締め付け部材と上記締め付け工具とを連結するようにして、上記ギア機構を介して上記締め付け工具により上記被締め付け部材を締め付けるようにしたものである。
【発明の効果】
【００１５】
本発明は、以上説明したように構成されているので、セミリジッドケーブルにおける接続ナットなどの被締め付け部材の締め付けを行う際に、広いスペースを必要としない締め付けシステムおよび締め付け方法を提供することができるようになるという優れた効果を奏する。
【発明を実施するための最良の形態】
【００１６】
以下、添付の図面に基づいて、本発明による締め付けシステムおよび締め付け方法の実施の形態の一例について説明する。
【００１７】
なお、図１に示す構成と同一または相当する構成については、図１において用いた符号と同一の符号を付して示すことにより、その構成ならびに作用の詳細な説明は省略する。
【００１８】
ここで、図２には、本発明の実施の形態の一例による締め付けシステムの全体斜視構成説明図が示されている。
【００１９】
この図２に示す締め付けシステムにおいては、被締め付け部材たるセミリジッドケーブル１００の接続ナット１０に、ウォームギア１０ａが一体的に形成されている。
【００２０】
一方、締め付け工具１２としては、棒状体の先端部にウォームギア１０ａと噛み合うウォーム１２ａを形成したものを用いる。
【００２１】
以上の構成において、セミリジッドケーブル１００の接続ナット１０を締め付ける際には、まず、締め付け工具１２のウォーム１２ａと接続ナット１０に形成されたウォームギア１０ａとを噛み合わせる。
【００２２】
次に、締め付け工具１２を棒状体の軸方向周りに回転することにより、この回転力をウォーム１２ａを介してウォームギア１０ａへ伝達して、ウォームギア１０ａを形成した接続ナット１０を締め付ける。
【００２３】
従って、上記した本発明の締め付けシステムによれば、セミリジッドケーブル１００における接続ナット１０の締め付けを行う際には、締め付け工具１２を棒状体の軸方向周りに回転するだけのスペースがあればよいため、従来の締め付け作業と比較すると締め付け工具を動かすため必要なスペースを著しく縮小することができる。
【００２４】
次に、図３には、本発明の実施の形態の他の例による締め付けシステムの構成説明図が示されている。
【００２５】
この図３に示す締め付けシステムにおいては、被締め付け部材たるセミリジッドケーブル１００の接続ナット２０に、クラウンギア２０ａが一体的に形成されている。
【００２６】
一方、締め付け工具２２としては、棒状体の先端部にクラウンギア２０ａと噛み合うピニオンギア２２ａを形成したものを用いる。
【００２７】
以上の構成において、セミリジッドケーブル１００の接続ナット２０を締め付ける際には、まず、締め付け工具２２のピニオンギア２２ａと接続ナット２０に形成されたクラウンギア２０ａとを噛み合わせる。
【００２８】
次に、締め付け工具２２を棒状体の軸方向周りに回転することにより、この回転力をピニオンギア２２ａを介してクラウンギア２０ａへ伝達して、クラウンギア２０ａを形成した接続ナット２０を締め付ける。
【００２９】
従って、上記した本発明の締め付けシステムによれば、セミリジッドケーブル１００における接続ナット２０の締め付けを行う際には、締め付け工具２２を棒状体の軸方向周りに回転するだけのスペースがあればよいため、従来の締め付け作業と比較すると締め付け工具を動かすため必要なスペースを著しく縮小することができる。
【００３０】
なお、上記した実施の形態は、以下の（１）〜（３）に示すように変形することができるものである。
【００３１】
（１）上記した実施の形態においては、ギア機構として、ウォームギア１０ａとウォーム１２ａとの組み合わせやクラウンギア２０ａとピニオンギア２２ａとの組み合わせを用いたが、これに限られるものではないことは勿論である。例えば、ベベルギア同士の組み合わせなどのような各種のギア機構を適宜に選択して用いるようにしてよい。
【００３２】
（２）上記した実施の形態においては、被締め付け部材たる接続ナット１０に一体的にウォームギア１０ａを形成したり、あるいは、被締め付け部材たる接続ナット２０に一体的にウォームギア２０ａを形成したりするなどのように、被締め付け部材に一体的にギアを形成したが、これに限られるものではないことは勿論である。例えば、被締め付け部材とギアとを予め別体に形成するとともに、ギアを被締め付け部材と一体的に嵌合可能な構造とする。そして、被締め付け部材の締め付けを行う際には、被締め付け部材に対してギアを一体的に嵌合して、ギアへ伝達された回転力が被締め付け部材へ伝達されるようにする。
【００３３】
（３）上記した実施の形態ならびに上記した（１）〜（２）に示す変形例は、適宜に組み合わせるようにしてもよい。
【産業上の利用可能性】
【００３４】
本発明は、各種に部材の締め付け、例えば、セミリジッドケーブルの接続ナットを締め付ける際に利用することができる。
【図面の簡単な説明】
【００３５】
【図１】図１は、セミリジッドケーブルの接続ナットを締め付ける際における従来の締め付け作業の説明図である。
【図２】図２は、本発明の実施の形態の一例による締め付けシステムの全体斜視構成説明図である。
【図３】図３は、本発明の実施の形態の他の例による締め付けシステムの構成説明図である。
【符号の説明】
【００３６】
１０      接続ナット
１０ａ    ウォームギア
１２      締め付け工具
１２ａ    ウォーム
２０      接続ナット
２０ａ    クラウンギア
２２      締め付け工具
２２ａ    ピニオンギア
１００      セミリジッドケーブル
１０２      接続ナット
１０４      六角レンチ
【図１】
2007276082.tif 000003
【図２】
2007276082.tif 000004
【図３】
2007276082.tif 000005